【手続補正書】
【提出日】平成15年5月27日(2003.5.27)
【手続補正１】
【補正対象書類名】明細書
【補正対象項目名】発明の名称
【補正方法】変更
【補正の内容】
【発明の名称】会議システム、その参加方法および無線インタフェース装置
【手続補正２】
【補正対象書類名】明細書
【補正対象項目名】特許請求の範囲
【補正方法】変更
【補正の内容】
【特許請求の範囲】
【請求項１】
機器の識別情報とその所有者とを対応付けて記憶する記憶手段と、
会議の参加者を登録する登録手段と、
会議開催時に、前記機器からのアクセスがあると、該機器の所有者が前記会議の参加者として登録されているか否かに応じて前記機器からのアクセスを許可する許可手段と
を備えることを特徴とする会議システム。
【請求項２】
無線インタフェース装置と、前記会議の参加者に対応付けられる機器の識別情報を前記無線インタフェースに通知する通知手段とを備え、
前記機器は前記無線インタフェース装置との間で無線通信を行う無線通信機能を有し、
前記無線インタフェース装置は、前記通知された識別情報を有する機器からのアクセスのみを許可することを特徴とする請求項１記載の会議システム。
【請求項３】
前記通知手段は、無線通信機能を有する共有機器の識別情報を前記無線インタフェース装置に通知し、前記無線インタフェース装置は、前記通知された識別情報を有する共有機器からのアクセスを許可することを特徴とする請求項２記載の会議システム。
【請求項４】
会議中にアクセスされたファイルを該会議と対応付けて記憶するファイル記憶手段と、前記ファイルにアクセスする権限を前記会議の参加者として登録されている参加者に限定する限定手段とを備えることを特徴とする請求項１ないし３のいずれか１つに記載の会議システム。
【請求項５】
会議システムの参加方法であって、
機器の識別情報とその所有者とを対応付けた情報を記憶し、
会議の参加者を登録し、
会議開催時に、機器からのアクセスがあると、前記機器の識別情報とその所有者とを対応付けた情報と前記登録された会議の参加者とを参照し、該機器の所有者が前記会議の参加者として登録されているか否かに応じて前記機器からのアクセスを許可することを特徴とする会議システムの参加方法。
【請求項６】
前記機器は、無線インタフェース装置との間で無線通信を行う無線通信機能を有し、
前記会議の参加者に対応付けられる機器の識別情報を前記無線インタフェースに通知し、前記無線インタフェース装置により、前記通知された識別情報を有する機器からのアクセスのみを許可することを特徴とする請求項５記載の会議システムの参加方法。
【請求項７】
端末から会議参加要求を受信し、
会議参加者の機器のＩＤにより、会議参加要求端末が会議参加者の機器であるか否かを判定し、
会議参加要求端末が会議参加者の機器であるならば、会議参加を許可することを特徴とする会議システム。
【請求項８】
端末の所有者の情報、及び、会議の参加者の情報により、会議参加要求端末が会議参加者の機器であるか否かを判定し、会議参加要求端末が会議参加者の機器であるならば、会議参加を許可することを特徴とする請求項７記載の会議システム。
【請求項９】
会議参加要求端末が会議参加者の機器であるか否かを判定し、会議参加要求端末が会議参加者の機器であるならば、会議参加を許可し、
共有機器からの会議参加要求を受け取った場合は、そのＩＤ・パスワードをチェックし、ＩＤ・パスワードが一致すると、会議参加を許可することを特徴とする会議システム。
【請求項１０】
ホストＰＣから参加者の登録機器ＩＤの通知を受ける受信手段と、
会議参加者の機器のＩＤにより、会議参加要求端末が会議参加者の機器であるか否かを判定し、会議参加要求端末が会議参加者の機器であるならば、会議参加を許可する許可手段とを有することを特徴とする無線インタフェース装置。
【手続補正３】
【補正対象書類名】明細書
【補正対象項目名】０００１
【補正方法】変更
【補正の内容】
【０００１】
【発明の属する技術分野】
本発明は、参加者がノートＰＣ（パーソナルコンピュータ）、ＰＤＡ（Ｐｅｒｓｏｎａｌ  Ｄｉｇｉｔａｌ  Ａｓｓｉｓｔａｎｔｓ）、携帯電話などの機器を持ち寄り、会議を行う会議システム、その参加方法および無線インタフェース装置に関する。


【手続補正４】
【補正対象書類名】明細書
【補正対象項目名】０００８
【補正方法】変更
【補正の内容】
【０００８】
本発明の目的は、簡単な手順で会議に参加することができる会議システム、その参加方法および無線インタフェース装置を提供することにある。


【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
請求項２記載の発明は、請求項１記載の会議システムにおいて、無線インタフェース装置と、前記会議の参加者に対応付けられる機器の識別情報を前記無線インタフェースに通知する通知手段とを備え、前記機器は前記無線インタフェース装置との間で無線通信を行う無線通信機能を有し、前記無線インタフェース装置は、前記通知された識別情報を有する機器からのアクセスのみを許可することを特徴とする。


【手続補正７】
【補正対象書類名】明細書
【補正対象項目名】００１２
【補正方法】変更
【補正の内容】
【００１２】
請求項３記載の発明は、請求項２記載の会議システムにおいて、前記通知手段は、無線通信機能を有する共有機器の識別情報を前記無線インタフェース装置に通知し、前記無線インタフェース装置は、前記通知された識別情報を有する共有機器からのアクセスを許可することを特徴とする。


【手続補正８】
【補正対象書類名】明細書
【補正対象項目名】００１３
【補正方法】変更
【補正の内容】
【００１３】
請求項４記載の発明は、請求項１ないし３のいずれか１つに記載の会議システムにおいて、会議中にアクセスされたファイルを該会議と対応付けて記憶するファイル記憶手段と、前記ファイルにアクセスする権限を前記会議の参加者として登録されている参加者に限定する限定手段とを備えることを特徴とする。


【手続補正９】
【補正対象書類名】明細書
【補正対象項目名】００１４
【補正方法】変更
【補正の内容】
【００１４】
請求項５記載の発明は、会議システムの参加方法であって、機器の識別情報とその所有者とを対応付けた情報を記憶し、会議の参加者を登録し、会議開催時に、機器からのアクセスがあると、前記機器の識別情報とその所有者とを対応付けた情報と前記登録された会議の参加者とを参照し、該機器の所有者が前記会議の参加者として登録されているか否かに応じて前記機器からのアクセスを許可することを特徴とする。


【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
請求項６記載の発明は、請求項５記載の会議システムの参加方法において、前記機器は、無線インタフェース装置との間で無線通信を行う無線通信機能を有し、前記会議の参加者に対応付けられる機器の識別情報を前記無線インタフェースに通知し、前記無線インタフェース装置により、前記通知された識別情報を有する機器からのアクセスのみを許可することを特徴とする。


【手続補正１２】
【補正対象書類名】明細書
【補正対象項目名】００１７
【補正方法】変更
【補正の内容】
【００１７】
請求項７記載の発明は、端末から会議参加要求を受信し、会議参加者の機器のＩＤにより、会議参加要求端末が会議参加者の機器であるか否かを判定し、会議参加要求端末が会議参加者の機器であるならば、会議参加を許可することを特徴とする。
請求項８記載の発明は、請求項７記載の会議システムにおいて、端末の所有者の情報、及び、会議の参加者の情報により、会議参加要求端末が会議参加者の機器であるか否かを判定し、会議参加要求端末が会議参加者の機器であるならば、会議参加を許可することを特徴とする。
【手続補正１３】
【補正対象書類名】明細書
【補正対象項目名】００１８
【補正方法】変更
【補正の内容】
【００１８】
請求項９記載の発明は、会議参加要求端末が会議参加者の機器であるか否かを判定し、会議参加要求端末が会議参加者の機器であるならば、会議参加を許可し、共有機器からの会議参加要求を受け取った場合は、そのＩＤ・パスワードをチェックし、ＩＤ・パスワードが一致すると、会議参加を許可することを特徴とする。
請求項１０記載の発明は、ホストＰＣから参加者の登録機器ＩＤの通知を受ける受信手段と、会議参加者の機器のＩＤにより、会議参加要求端末が会議参加者の機器であるか否かを判定し、会議参加要求端末が会議参加者の機器であるならば、会議参加を許可する許可手段とを有することを特徴とする。